(57)【要約】【課題】アクティブバックライトを用いた透過型ディスプレイ装置において、バックライト輝度と画素透過率との非対応期間をなくし、画像劣化の無い表示を実現する。【解決手段】アクティブバックライトと液晶パネルとからなる液晶表示装置において、１フレーム期間を、画素書き換え期間と表示期間とに分割し、画素書き換え期間ではバックライトを消灯する。画素書き換え期間の開始は、表示画面の先頭ラインの選択期間の開始タイミングと一致させる。また、画素書き換え期間の終了は、表示画面の最終ラインの選択期間の終了後、さらに液晶を完全に安定させるために所定のマージン期間ΔＴの経過後とする。【選択図】図１
2008083590.tif 000002
【特許請求の範囲】
【請求項１】
バックライトと透過制御パネルとからなり、上記バックライトからの照射光を上記透過制御パネルによってその透過率を制御して表示を行う透過型ディスプレイ装置において、
上記バックライトは、その発光輝度を制御することが可能なアクティブバックライトであり、
上記バックライトの発光輝度を設定する発光輝度設定手段と、
上記透過制御パネルにおける画素の透過率を、上記バックライトの発光輝度値に応じて設定する透過率設定手段とを備えていると共に、
上記発光輝度設定手段は、表示画面の先頭ラインの選択期間の開始タイミングにてバックライトを消灯させ、表示画面の最終ラインの選択期間の終了後、さらに所定のマージン期間経過後に、バックライトを所定の輝度で点灯させることを特徴とする透過型ディスプレイ装置。
【請求項２】
上記バックライトは、それぞれに発光輝度を制御することが可能な複数の発光領域を有しており、
上記発光輝度設定手段は、上記バックライトのそれぞれの発光領域における発光輝度を設定し、
上記透過率設定手段は、透過制御パネルにおける画素の透過率を、上記バックライトのそれぞれの発光領域毎の発光輝度値に応じて設定すると共に、
上記発光輝度設定手段は、上記バックライトのそれぞれの発光領域に対応する先頭ラインの選択期間の開始タイミングにてバックライトの各領域を消灯させ、上記バックライトのそれぞれの発光領域に対応する最終ラインの選択期間の終了後、さらに所定のマージン期間経過後に、バックライトの各領域を所定の輝度で点灯させることを特徴とする請求項１に記載の透過型ディスプレイ装置。
【発明の詳細な説明】
【技術分野】
【０００１】
本発明は、液晶表示装置等の透過型ディスプレイ装置に関するものである。
【背景技術】
【０００２】
カラーディスプレイには様々な種類があり、それぞれ実用化がなされている。薄型ディスプレイを大別すると、ＰＤＰ（プラズマディスプレイパネル）のような自発光型ディスプレイと、ＬＣＤ（液晶ディスプレイ）に代表される非発光型ディスプレイとに分類される。非発光型ディスプレイであるＬＣＤでは、液晶パネルの背面側にバックライトを配置する透過型ＬＣＤが知られている。
【０００３】
図１０は、透過型ＬＣＤの一般的な構造を示す断面図である。この透過型ＬＣＤは、液晶パネル１００の背面にバックライト１１０を配置している。液晶パネル１００は、一対の透明基板１０１，１０２の間に液晶層１０３を配置し、一対の透明基板１０１，１０２の外側には偏光板１０４，１０５を備えた構成となっている。また、液晶パネル１００内にカラーフィルタ１０６を備えることでカラー表示が可能となる。
【０００４】
図示は省略するが、透明基板１０１，１０２の内側には、電極層および配向膜が形成されており、液晶層１０３への印加電圧を制御することによって、液晶パネル１００を透過する光の透過量が画素ごとに制御される。すなわち、透過型ＬＣＤは、バックライト１１０からの照射光を液晶パネル１１０で透過量制御を行うことによって表示制御を行う。
【０００５】
バックライト１１０は、カラーディスプレイに必要なＲＧＢ三色の波長を含む白色のバックライトが主に用いられ、カラーフィルタ１０６との組み合わせによって、ＲＧＢの各色の光の透過率をそれぞれ調整することで、画素としての輝度や色相を任意に設定することが可能である。尚、バックライト１１０としては、ＲＧＢの各色毎に光源を備えたものもある。
【０００６】
例えば、上記ＬＣＤにおいては、出力される表示情報は画素ごとに存在するＲＧＢそれぞれのカラーフィルタ１０６のついた液晶パネル１１０のシャッタ作用によって透過率がコントロールされ、０〜１００％の範囲を決められたステップで制御することで透過する光の強さを制御している。バックライト１１０の照射光を１００％透過する場合には、理想的には、バックライト光の該当色要素強度がそのまま出力されるので、この時が最大輝度となる。また、透過率が０％のときには黒色表示となる。このように、液晶パネル１１０のシャッタ作用によって表示制御を行う通常の透過型ＬＣＤの構成では、バックライト１１０は、ある一定の輝度で発光し続ける。
【０００７】
しかしながら、バックライト１１０の輝度を一定とする上記構成では、バックライト１１０による消費電力が大きいといった問題がある。すなわち、上記ＬＣＤが全体的に暗い画面表示を行っている場合であっても、バックライト１１０が最大輝度で発光しており、その照射光の多くが液晶パネル１００のシャッタ作用によって遮断されることとなる。このため、バックライト１１０における発光光量の無駄が多く、バックライト１１０の消費電力が大きくなる。ＬＣＤでは、消費電力の大部分をバックライトが占めるため、システム全体からみた場合、この無駄は非常に大きな損失となる。
【０００８】
このような問題に対し、特許文献１には、輝度調整可能なアクティブバックライトを用い、ＬＣＤの表示制御（輝度制御）を、液晶パネルの透過率とアクティブバックライトの輝度制御とによって行い、バックライトの消費電力の低減を図る技術が開示されている。図１１に、特許文献１に記載のＬＣＤシステムの概略構成を示す。
【０００９】
図１１に示すＬＣＤは、ＲＡＭ２０１に格納されている画像情報を、ＣＰＵ２０２がアクティブＢＬ（バックライト）コントローラ２０３に送る構成となっている。そして、アクティブＢＬコントローラ２０３が、液晶ドライバ２０４，２０５を介して液晶パネル２１０における透過率の制御を行うと共に、バックライト輝度調整部２０６Ｒ，２０６Ｇ，２０６Ｂを介して赤色バックライト２０７Ｒ，緑色バックライト２０７Ｇ，青色バックライト２０７Ｂの輝度制御を行う。すなわち、上記ＬＣＤにおいて、赤色バックライト２０７Ｒ，緑色バックライト２０７Ｇ，青色バックライト２０７Ｂのそれぞれが、その輝度を調整可能なアクティブバックライトである。
【００１０】
図１２（ａ）〜（ｃ）を参照して、特許文献１におけるバックライトの消費電力削減効果について説明する。尚、以下では、説明を簡単にするため、４画素（１画素にＲＧＢの各色成分を含む）からなる領域での表示制御を例示する。
【００１１】
先ず、表示階調が２５６階調（０〜２５５）である時に、図１２（ａ）に示すような表示データにて表示を行う場合を考える。ここで、バックライトの輝度制御を行わない場合、バックライトの輝度は最大輝度（２５５とする）であり、液晶パネルの透過率のみが表示データに応じて制御される（図１２（ｂ）参照）。
【００１２】
一方、図１２（ｃ）に示すように、アクティブバックライトによる表示制御を行う場合、バックライトの輝度は表示データにおける最大輝度値に一致するように制御される。バックライトがＲＧＢ各色毎に設けられている場合は、各色のバックライトの輝度が、対応する色成分の最大輝度値に一致するように制御される。そして、液晶パネルの透過率は、その時のバックライトの輝度に合わせて透過率を調整される。例えば、図１２（ｃ）では、Ｒ＝１２８を表示するために、Ｒのバックライト輝度を１２８とし、液晶パネルの該当する画素の透過率を２５５（１００％）とすることで、１２８の表示輝度（＝輝度１２８×透過率１００％）を得ている。Ｒ＝１２８を表示するために、Ｒのバックライト輝度を２５５とし、液晶パネルの該当する画素の透過率を１２８（５０％）としている図１２（ｂ）の表示と比較すれば、バックライトの輝度は２５５から１２８に低減されている。
【特許文献１】特開２００６−４７５９４号公報（２００６年２月１６日公開）
【特許文献２】特開２００２−７２３７５号公報（２００２年３月１２日公開）
【発明の開示】
【発明が解決しようとする課題】
【００１３】
上述のようなアクティブバックライトでは、バックライトの輝度と液晶透過率との両方の制御によって所望の表示輝度が得られる。すなわち、表示画面の各画素において、バックライトの輝度値と液晶の透過率とが対応した値に制御されている必要がある。
【００１４】
しかしながら、液晶パネルにおける画素の書き換えは垂直方向にライン順次で行われるものであり、アクティブバックライトの輝度切替えと各画素の書換えとを全ての画素ラインで同時に行うことができないといった問題がある。当然ながら、バックライトの輝度値と液晶の透過率とが対応しない画素では所望の表示が行えず、画像劣化が生じる。
【００１５】
本発明は、上記の問題点に鑑みてなされたものであり、その目的は、アクティブバックライトを用いた透過型ディスプレイ装置において、バックライト輝度と画素透過率との非対応期間をなくし、画像劣化の無い表示を実現することにある。
【課題を解決するための手段】
【００１６】
本発明に係る透過型ディスプレイ装置は、上記課題を解決するために、バックライトと透過制御パネルとからなり、上記バックライトからの照射光を上記透過制御パネルによってその透過率を制御して表示を行う透過型ディスプレイ装置において、上記バックライトは、その発光輝度を制御することが可能なアクティブバックライトであり、上記バックライトの発光輝度を設定する発光輝度設定手段と、上記透過制御パネルにおける画素の透過率を、上記バックライトの発光輝度値に応じて設定する透過率設定手段とを備えていると共に、上記発光輝度設定手段は、表示画面の先頭ラインの選択期間の開始タイミングにてバックライトを消灯させ、表示画面の最終ラインの選択期間の終了後、さらに所定のマージン期間経過後に、バックライトを所定の輝度で点灯させることを特徴としている。
【００１７】
上記の構成によれば、表示画面の先頭ラインの選択期間の開始から、表示画面の最終ラインの選択期間の終了後、さらに液晶が安定するまでの所定のマージン期間が経過するまでの間は、液晶の階調が不安定であるため、この間バックライトは消灯される。そして、液晶の階調が安定している期間のみバックライトを所定の輝度で点灯させるため、バックライトを点灯させている表示期間では、全ての画素における透過率がバックライト輝度と完全に対応することになり、バックライト輝度と画素透過率との非対応に起因する画像劣化を回避できる。
【００１８】
また、上記透過型ディスプレイ装置では、上記バックライトは、それぞれに発光輝度を制御することが可能な複数の発光領域を有しており、上記発光輝度設定手段は、上記バックライトのそれぞれの発光領域における発光輝度を設定し、上記透過率設定手段は、透過制御パネルにおける画素の透過率を、上記バックライトのそれぞれの発光領域毎の発光輝度値に応じて設定すると共に、上記発光輝度設定手段は、上記バックライトのそれぞれの発光領域に対応する先頭ラインの選択期間の開始タイミングにてバックライトの各領域を消灯させ、上記バックライトのそれぞれの発光領域に対応する最終ラインの選択期間の終了後、さらに所定のマージン期間経過後に、バックライトの各領域を所定の輝度で点灯させる構成とすることができる。
【００１９】
上記の構成によれば、表示画面を複数の領域に分割し、分割された各領域毎に、透過制御パネルの透過率制御とバックライトの輝度制御とを行うことができる。これにより、画面全体を１つの領域としてバックライトの輝度制御を行う構成に比べ、更なるバックライトの消費電力削減を図ることができる。
【００２０】
さらに、分割された各領域毎に、該領域内の全ての画素における透過率とバックライト輝度とを完全に対応させることができ、バックライト輝度と画素透過率との非対応に起因する画像劣化を回避できる。
【発明の効果】
【００２１】
本発明に係る透過型ディスプレイ装置は、以上のように、バックライトと透過制御パネルとからなり、上記バックライトからの照射光を上記透過制御パネルによってその透過率を制御して表示を行う透過型ディスプレイ装置において、上記バックライトは、その発光輝度を制御することが可能なアクティブバックライトであり、上記バックライトの発光輝度を設定する発光輝度設定手段と、上記透過制御パネルにおける画素の透過率を、上記バックライトの発光輝度値に応じて設定する透過率設定手段とを備えていると共に、上記発光輝度設定手段は、表示画面の先頭ラインの選択期間の開始タイミングにてバックライトを消灯させ、表示画面の最終ラインの選択期間の終了後、さらに所定のマージン期間経過後に、バックライトを所定の輝度で点灯させる構成である。
【００２２】
それゆえ、液晶の階調が安定している期間のみバックライトを所定の輝度で点灯させることができ、この表示期間では、全ての画素における透過率がバックライト輝度と完全に対応する。これになり、バックライト輝度と画素透過率との非対応に起因する画像劣化を回避できる。
【発明を実施するための最良の形態】
【００２３】
本発明の一実施形態について図１ないし図９に基づいて説明すると以下の通りである。先ずは、本実施の形態に係る液晶表示装置の概略構成を図２を参照して説明する。
【００２４】
図２に示す液晶表示装置は、ＲＡＭ１１、ＣＰＵ１２、アクティブＢＬコントローラ１３、液晶ドライバ１４，１５、液晶パネル２０、バックライト輝度調整部１６、およびバックライト１７を備えた構成となっている。
【００２５】
上記液晶表示装置においては、ＲＡＭ１１に格納されている画像情報を、ＣＰＵ１２がアクティブＢＬ（バックライト）コントローラ１３に送る構成となっている。アクティブＢＬコントローラ１３は、液晶ドライバ１４，１５を介して液晶パネル２０における透過率の制御を行うと共に、バックライト輝度調整部１６を介してバックライト１７の輝度制御を行う。
【００２６】
ここで、バックライト１７は、ＲＧＢ三色の波長を含む白色のバックライトであり、かつ、バックライト輝度調整部１６によってその発光輝度を調整可能とされるアクティブバックライトである。
【００２７】
次に、上記液晶表示装置におけるバックライトの輝度制御および液晶パネルの透過率制御の制御タイミングについて説明する。
【００２８】
本実施の形態に係るアクティブバックライトでは、バックライトの輝度と液晶透過率との両方の制御によって所望の表示輝度が得られる。この場合、基本的には各画素において、バックライトの輝度と液晶の透過率とが、表示期間中つねに対応している必要がある。
【００２９】
しかしながら、実際は、液晶パネルにおける画素の書き換えは垂直方向にライン順次で行われるものである。このため、アクティブバックライトの輝度変更を１フレーム期間の先頭で行った場合、垂直方向の先頭ライン以外では、バックライトの輝度変更タイミングと液晶の透過率変更タイミングとにずれが生じ、バックライトの輝度と画素の透過率とが対応しない期間が生じて、正常な表示ができない。特に、画面の下の方に行くほど、１フレーム期間の大半でバックライト輝度と画素透過率とが対応せず、大きな画像劣化を生じさせる。
【００３０】
このような問題を回避するため、本実施の形態に係る液晶表示装置では、図２に示すように、液晶パネルの駆動周波数を高くして画素の書き換え期間を１フレーム期間未満に短縮することで、１フレーム期間中に画素の書き換えを行わない表示期間を設ける。この場合、画素書き換え期間ではバックライトを消灯させる（もしくは輝度を十分に低下させる）。そして、各領域の画素書き換えが終了している表示期間においてバックライトを点灯させる。上記表示期間では、画面全体においてバックライト輝度と画素透過率とを完全に対応させることができるため、１フレーム期間内におけるバックライト輝度と画素透過率との非対応期間がなくなり、画像劣化を回避できる。尚、画素書き換え期間ではバックライトを消灯するため、フレーム全体での輝度は低下するが、これについては点灯時の発光輝度を上げることで対応可能である。
【００３１】
さらに、上記画素書き換え期間と上記表示期間との切替タイミングについて、より詳細に説明する。上記液晶表示装置において使用されるアクティブバックライトには、輝度変化を容易に実現できるＬＥＤが好適に使用できる。ＬＥＤバックライトは、非常に高速な応答速度を提供でき、これによって表示すべき画像の変化にあわせてほぼ即座（数マイクロ〜数百マイクロ秒以下）にバックライト輝度を適切に変化させることが可能となる。
【００３２】
一方、液晶パネルの透過率制御には、バックライト輝度変化に必要な時間と比べ、より多くの時間が必要である。近年、さまざまな手法により液晶の応答速度が劇的に改善されつつあるが、それでもなお液晶透過率の変化には数ミリ秒以上かかってしまう。
【００３３】
ここで、１水平ライン当たりの画素書換え期間は、例えばVGA RGBカラーディスプレイの場合、１サブピクセルあたり、1/(30フレーム×640カラム×480行×3色)秒となり、数十ナノ秒のオーダとなる。液晶の動作速度は数ミリ秒以上であることに鑑みると、各画素の選択期間（１水平期間）内に液晶が完全に所望の透過率を示すように安定することは困難である。すなわち、当該画素に対する画素書換え指示は数十ナノ秒期間内に終了するが、その後数ミリ秒経過しないと液晶の階調は安定しない。図１では、画素書換えに伴って生じる画素の不安定期間を斜線ハッチングにて示している。
【００３４】
このため、本実施の形態に係るタイミング制御では、表示画面の先頭ラインの選択期間の開始（すなわち、ライン１の選択パルスの立ち上がり）を画素書き換え期間の開始として、このタイミングにてバックライトを消灯させる。
【００３５】
一方、画素書き換え期間の終了は、表示画面の最終ラインの選択期間の終了（すなわち、ラインｎの選択パルスの立ち下がり）と一致させない。これは、最終ラインの選択期間が終了した時点では、該最終ラインの画素における透過率が安定状態に達していないためである。したがって、画素書き換え期間の終了は、最終ラインの選択期間終了後、さらに液晶が安定するまでのマージン期間ΔＴ（数ミリ秒程度）を設けて設定するものとする。これにより、バックライトを点灯させる表示期間では、全ての画素における透過率がバックライト輝度と完全に対応することになり、バックライト輝度と画素透過率との非対応に起因する画像劣化を回避できる。
【００３６】
上記図１及び図２にて示す液晶表示装置は、表示画面全体に対してバックライトを一括制御している場合を例示している。しかしながら、本発明はこれに限定されるものではなく、表示画面を複数の領域に分割し、各領域毎にバックライト輝度を制御することも可能である。
【００３７】
このような分割制御を行うの構成は、図３に示すようなものとなる。この液晶表示装置は、ＲＡＭ１１、ＣＰＵ１２、アクティブＢＬコントローラ１３、液晶ドライバ１４，１５、液晶パネル２０、バックライト輝度調整部１６Ａ〜１６Ｄ、およびバックライト１７Ａ〜１７Ｄを備えた構成となっている。
【００３８】
ここで、バックライト１７Ａ〜１７Ｄは、ＲＧＢ三色の波長を含む白色のバックライトであり、かつ、液晶パネル２０の表示画面を４分割した各表示領域に対応して、４つの発光領域からなるバックライトである。また、バックライト１７Ａ〜１７Ｄのそれぞれは、個別にその輝度を調整可能である。バックライト輝度調整部１６Ａ〜１６Ｄのそれぞれは、バックライト１７Ａ〜１７Ｄの発光輝度を制御する。
【００３９】
図４（ａ），（ｂ）を参照して、図３に示す液晶表示装置におけるバックライトの消費電力削減効果について説明する。尚、以下では、説明を簡単にするため、表示画面を８画素（１画素にＲＧＢの各色成分を含む）からなるものとして、表示制御を例示する。
【００４０】
先ず、表示階調が２５６階調（０〜２５５）である時に、図４（ａ）に示すような表示データにて表示を行う場合を考える。ここで、上記表示画面は、２画素ずつを１領域として４つの領域に分割されるとする。図４（ａ），（ｂ）では、左上２画素を領域Ａ、右上２画素を領域Ｂ、左下２画素を領域Ｃ、右下２画素を領域Ｄとしている。
【００４１】
上記表示制御においては、図４（ｂ）に示すように、バックライトの輝度は、各領域Ａ〜Ｄ毎にその領域内の表示データにおける最大輝度値に一致するように制御される。そして、液晶パネルの透過率は、その時のバックライトの輝度に合わせて透過率を調整される。例えば、図４（ｂ）では、領域Ａの最大輝度値はＲ＝１２８であり、この領域Ａではバックライト輝度を１２８とする（この輝度は１フレーム期間での平均輝度値を示しており、表示期間におけるバックライト点灯時の輝度値は、画素書き換え期間と表示期間との時間比率を考慮して設定される）。領域Ａ内の画素の透過率は、バックライトの輝度値を１２８として所望の表示輝度が得られるように透過率が決定される。また、領域Ｂ〜Ｄでは、バックライトの輝度値は６０に設定される。
【００４２】
このように、上記液晶表示装置では、画面全体における最大輝度値が１２８であっても、その最大輝度値の画素を含む領域Ａのみにおいてバックライト輝度値を１２８に設定すればよく、他の領域Ｂ〜Ｄではそれよりも低いバックライト輝度値とすることができる。したがって、画面全体を１つの領域としてアクティブバックライトの輝度制御を行う特許文献１の構成に比べ、更なるバックライトの消費電力削減を図ることができる。
【００４３】
尚、上記説明においては、表示画面の分割数は４としたが、本発明はこれに限定されるものではなく分割される領域の数は任意である。また、分割される領域の大きさや形状は、全ての領域において同じであってもよく、それぞれ異なるものであってもよい。
【００４４】
上記液晶表示装置においては、分割された領域毎に発光輝度を制御可能なバックライトを用いることが必要である。ここで、上記説明におけるバックライト１７Ａ〜１７Ｄは、個別のバックライトである必要は無く、実際は、それぞれに発光輝度を制御することが可能な複数の発光領域を有している一つのバックライトとすることが好ましい。この場合、バックライトの各発光領域のそれぞれが、上述の説明におけるバックライト１７Ａ〜１７Ｄに相当する。
【００４５】
液晶表示装置において用いられるバックライトでは、光源として、蛍光管（冷陰極管等）やＬＥＤ（Light Emitting Diode）が用いられる。例えば、光源として蛍光管を用いるバックライトにおいて、図５（ａ）に示すように蛍光管が配置されている場合、該蛍光管の配置列に沿って、図５（ｂ）に示すようにバックライトの領域を分割することが考えられる。また、例えば、光源としてＬＥＤが用いられる場合は、例えば図Ａに示すように、バックライト内で分割された各領域のそれぞれにおいて、該領域内に存在するＬＥＤをその領域の光源として使用すればよい。
【００４６】
尚、本発明において、バックライトにおける領域分割数は特に限定されるものではなく、また、分割される各領域の形状も特に限定されない。さらには、分割された全ての領域において、必ずしも同サイズおよび同形状としなくても良い。
【００４７】
このように領域分割されたバックライトにおいて、分割された各領域毎に発光輝度を制御するためには、以下のような方法が考えられる。
【００４８】
例えば、バックライトに使用される光源が入力電圧によって発光輝度を制御できる光源である場合、各領域への電圧入力系統を異ならせ、それぞれの領域において必要な発光輝度を得るための入力電圧を個別に供給する構成とすることができる。あるいは、バックライトに使用される光源がその発光期間を制御することによって発光輝度が制御できる光源である場合、各領域のそれぞれに発光期間を制御するための制御信号個別に供給する構成とすることができる。図３の液晶表示装置を例に取れば、何れの制御も、バックライト輝度調整部１６Ａ〜１６Ｄが、バックライト１７Ａ〜１７Ｄのそれぞれに対して上記制御を行う。
【００４９】
図３に示す液晶表示装置の画素書き換え期間と表示期間との切替タイミングについて、図７、図８を参照して説明すると以下の通りである。ここでは、液晶表示装置における表示画面が、図７に示すような９つの領域Ａ〜Ｉに分割されている場合を考える。また、各領域における垂直方向のライン数はｍであるとする。
【００５０】
画素書き換え期間と表示期間との切替タイミングは、各領域毎に設定される。図８に示すように、領域Ａ〜Ｃでは、該領域の先頭ラインの選択期間の開始（すなわち、ライン１の選択パルスの立ち上がり）を画素書き換え期間の開始として、このタイミングにてバックライトを消灯させる。そして、画素書き換え期間の終了は、該領域の最終ラインの選択期間終了（すなわち、ラインｍの選択パルスの立ち下がり）後、さらに液晶が安定するまでのマージン期間ΔＴ（数ミリ秒程度）を設けて設定するものとする。
【００５１】
同様に、領域Ｄ〜Ｆでは、該領域の先頭ラインの選択期間の開始（すなわち、ライン(ｍ＋１)の選択パルスの立ち上がり）を画素書き換え期間の開始とし、画素書き換え期間の終了は、該領域の最終ラインの選択期間終了（すなわち、ライン（２ｍ）の選択パルスの立ち下がり）後、さらに液晶が安定するまでのマージン期間ΔＴ（数ミリ秒程度）を設けて設定される。領域Ｇ〜Ｉでは、該領域の先頭ラインの選択期間の開始（すなわち、ライン(２ｍ＋１)の選択パルスの立ち上がり）を画素書き換え期間の開始とし、画素書き換え期間の終了は、該領域の最終ラインの選択期間終了（すなわち、ライン（３ｍ）の選択パルスの立ち下がり）後、さらに液晶が安定するまでのマージン期間ΔＴ（数ミリ秒程度）を設けて設定される。
【００５２】
図１または図３に示す液晶表示装置において、液晶パネルの透過率およびアクティブバックライトの輝度は、アクティブＢＬコントローラ１３によって設定される。図９にアクティブＢＬコントローラ１３の構成を示す。
【００５３】
アクティブＢＬコントローラ１３は、図９に示すように、画像エリア分割部４１、画像メモリ４２Ａ，４２Ｂ、最大輝度抽出部４３Ａ，４３Ｂ、最大輝度記憶部４４Ａ，４４Ｂ、ＢＬ輝度算出部４５Ａ，４５Ｂ、液晶透過率４６Ａ，４６Ｂを備えている。ここで、添え字Ａを付している構成部分は領域Ａに対しての処理部であり、添え字Ｂを付している構成部分は領域Ｂに対しての処理部である。尚、ここでは、説明を簡略化するために、表示画面の分割数は領域ＡおよびＢの２分割としている。
【００５４】
アクティブＢＬコントローラ１３に入力される画像データは、最初に画像データエリア分割部４１によって対応する領域毎に振り分けられ、画像メモリ４２Ａまたは４２Ｂに送られる。これにより、画像メモリ４２Ａ，４２Ｂには、アクティブＢＬコントローラ１３に対して１フレーム分の画像データが入力された時、画像メモリ４２Ａ，４２Ｂのそれぞれには領域ＡおよびＢに対応する画像データが振り分けられて記憶される。
【００５５】
最大輝度抽出部４３Ａ，４３Ｂは、画像メモリ４２Ａ，４２Ｂに記憶されている画素データの中から最大輝度値を示すデータを抽出する。抽出された最大輝度値は、最大輝度記憶部４４Ａ，４４Ｂにおいて記憶される。
【００５６】
ＢＬ輝度算出部４５Ａ，４５Ｂは、最大輝度記憶部４４Ａ，４４Ｂに記憶された最大輝度値に基づいて、対応領域におけるバックライトの発光輝度を決定する。ここでは、最大輝度値を有する画素において、液晶の透過率を１００％とした場合に所望の表示輝度が得られるように発光輝度を設定する。ＢＬ輝度算出部４５Ａ，４５Ｂによって設定されたバックライトの発光輝度はバックライト輝度調整部１６Ａ，１６Ｂに出力される。
【００５７】
液晶透過率算出部４６Ａ，４６Ｂは、領域内の全画素に対して、その透過率を算出し、算出した透過率に対応する階調値を液晶ドライバ１４，１５へ出力する。各画素の透過率は、対応する領域におけるバックライト輝度と、当該画素の表示データ（すなわち入力階調値）に基づいて、以下の式によって算出される。
【００５８】
（画素の透過率）＝（当該画素の入力階調値）／（バックライト輝度値）
また、算出した透過率に対応する階調値は、以下の式によって算出される。
【００５９】
（透過率に対応する階調値）＝（透過率）×（最大階調値）
尚、上記の説明においては、バックライトの輝度は、各領域毎にその領域内の表示データにおける最大輝度値に一致するように制御されている。この構成においては、バックライトの各発光領域における輝度を、表示に必要な最小限の輝度に設定できるため、バックライトの消費電力削減効果をより向上させることができる。この場合、バックライトは、表示階調数にあわせた輝度階調数を有する必要がある（表示階調数が２５６階調であれば、バックライトも２５６段階に輝度を調整できる必要がある）。
【００６０】
しかしながら、本発明に係る液晶表示装置は上記例に限定されるものではなく、バックライトの輝度階調数は表示階調数よりも小さくても良い。例えば、表示階調数が２５６階調であるのに対し、バックライトが４段階（暗い順にレベル１〜４）にしか輝度調整できないような場合、領域内の最大表示階調が０〜６３ではバックライトの輝度をレベル１とし、６４〜１２７ではレベル２とし、１２８〜１９１ではレベル３とし、１９２〜２５５ではレベル４とするような制御が考えられる。
【００６１】
以上説明した画像照合のための処理機能は、プログラムで実現される。本実施の形態２では、このプログラムはコンピュータで読取可能な記録媒体に格納される。
【００６２】
本実施の形態では、この記録媒体として、図１に示されているコンピュータで処理が行なわれるために必要なメモリ、たとえばＲＡＭ１１のようなそのものがプログラムメディアであってもよいし、また該コンピュータの外部記憶装置に着脱自在に装着されて、そこに記録されたプログラムが該外部記憶装置を介して読取り可能な記録媒体であってもよい。このような外部記憶装置としては、磁気テープ装置、ＦＤ駆動装置およびＣＤ−ＲＯＭ駆動装置など（図示せず）であり、該記録媒体としては磁気テープ、ＦＤおよびＣＤ−ＲＯＭなど（図示せず）である。いずれの場合においても、各記録媒体に記録されているプログラムはＣＰＵ１２がアクセスして実行させる構成であってもよいし、あるいはいずれの場合もプログラムが該記録媒体から一旦読出されて所定のプログラム記憶エリア、たとえばＲＡＭ１１のプログラム記憶エリアにロードされて、ＣＰＵ１２により読出されて実行される方式であってもよい。このロード用のプログラムは、予め当該コンピュータに格納されているものとする。
【００６３】
ここで、上述の記録媒体はコンピュータ本体と分離可能に構成される。このような記録媒体としては、固定的にプログラムを担持する媒体が適用可能である。具体的には、磁気テープやカセットテープなどのテープ系、ＦＤや固定ディスクなどの磁気ディスク、ＣＤ−ＲＯＭ／ＭＯ（Magnetic Optical Disc）／ＭＤ（Mini Disc）／ＤＶＤ（Digital Versatile Disc）などの光ディスクのディスク系、ＩＣカード（メモリカードを含む）／光カードなどのカード系、マスクＲＯＭ、ＥＰＲＯＭ（Erasable and Programmable ＲＯＭ）、ＥＥＰＲＯＭ(Electrically ＥＰＲＯＭ)、フラッシュＲＯＭなどによる半導体メモリが適用可能である。また、通信ネットワークからプログラムがダウンロードされて流動的にプログラムを担持する記録媒体であってもよい。なお、通信ネットワークからプログラムがダウンロードされる場合には、ダウンロード用プログラムは予め当該コンピュータ本体に格納されていてもよく、あるいは別の記録媒体から予め当該コンピュータ本体にインストールされてもよい。
【００６４】
なお記録媒体に格納されている内容としてはプログラムに限定されず、データであってもよい。
【００６５】
また、上記実施の形態の説明においては、液晶ディスプレイに本発明を適用した場合について記載しているが、透過型ディスプレイ一般についても同様の手法で持って本発明を適用することが可能である。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本発明の実施形態を示すものであり、アクティブバックライトを用いた液晶表示装置における、バックライトの輝度変更タイミングと液晶の透過率変更タイミングとの関係を示すタイミングチャートである。
【図２】本発明の実施形態を示すものであり、液晶表示装置の要部構成を示すブロック図である。
【図３】本発明の実施形態を示すものであり、液晶表示装置の要部構成を示すブロック図である。
【図４】図４（ａ）は、図３に示す液晶表示装置における表示データ例を示す図であり、図４（ｂ）は、上記表示デ―タ例に基づいて表示を行う時の液晶の透過率とバックライトの輝度とを示す図である。
【図５】図５（ａ）は、蛍光管を用いたバックライトにおける蛍光管の配置例を示す図であり、表示データ例を示す図であり、図５（ｂ）は、上記蛍光管の配置例に対応するバックライトの領域の分割例を示す図である。
【図６】ＬＥＤを用いたバックライトにおけるＬＥＤの配置例および領域の分割例を示す図である。
【図７】液晶パネルにおける領域分割例を示す図である。
【図８】領域分割された液晶表示装置における、バックライトの輝度変更タイミングと液晶の透過率変更タイミングとの関係を示すタイミングチャートである。
【図９】上記液晶表示装置におけるアクティブＢＬコントローラの構成を示すブロック図である。
【図１０】透過型液晶表示装置の一般的な構成を示す断面図である。
【図１１】アクティブバックライトを用いた従来の液晶表示装置の要部構成を示すブロック図である。
【図１２】図１２（ａ）は、液晶表示装置における表示データ例を示す図であり、図１２（ｂ）は、アクティブバックライトを用いない液晶表示装置において上記表示デ―タ例に基づいて表示を行う時の液晶の透過率とバックライトの輝度とを示す図であり、図１２（ｃ）は、アクティブバックライトを用いた従来の液晶表示装置において上記表示デ―タ例に基づいて表示を行う時の液晶の透過率とバックライトの輝度とを示す図である。
【符号の説明】
【００６８】
１１          ＲＡＭ
１２          ＣＰＵ
１３          アクティブＢＬコントローラ（発光輝度設定手段，透過率設定手段）
１４，１５    液晶ドライバ
１６          バックライト輝度調整部
１７          バックライト
２０          液晶パネル（透過制御パネル）
３２          バックライト輝度調整部
３３          バックライト
４１          画像データエリア分割部
４２          画像メモリ
４３          最大輝度抽出部
４４          最大輝度記憶部
４５          ＢＬ輝度算出部（発光輝度設定手段）
４６          液晶透過率算出部（透過率設定手段）
【図１】
2008083590.tif 000003
【図２】
2008083590.tif 000004
【図３】
2008083590.tif 000005
【図４】
2008083590.tif 000006
【図５】
2008083590.tif 000007
【図６】
2008083590.tif 000008
【図７】
2008083590.tif 000009
【図８】
2008083590.tif 000010
【図９】
2008083590.tif 000011
【図１０】
2008083590.tif 000012
【図１１】
2008083590.tif 000013
【図１２】
2008083590.tif 000014